【手続補正書】
【提出日】令和3年6月29日(2021.6.29)
【手続補正１】
【補正対象書類名】特許請求の範囲
【補正対象項目名】全文
【補正方法】変更
【補正の内容】
【特許請求の範囲】
【請求項１】
プロセッサを用いて、第１の符号語表現の入力画像にアクセスすることと、
前記第１の符号語表現よりも効率的な圧縮を可能にする第２の符号語表現に、前記入力画像のピクセルをマッピングする順方向再構成関数を生成することと、
前記第２の符号語表現から前記第１の符号語表現にピクセルをマッピングする逆方向再構成関数を前記順方向再構成関数に基づいて生成することと、
前記入力画像における入力ピクセル領域について、
基準フレームバッファ又は事前に符号化された近傍空間内のピクセルデータに基づいて、予測領域を計算することと、
前記入力ピクセル領域、前記予測領域、及び前記順方向再構成関数に基づいて、再構成された残差領域を生成することであって、前記再構成された残差領域における再構成された残差サンプルは、少なくとも部分的に、（ａ）前記予測領域におけるそれぞれの予測サンプルに順方向再構成を行うこと、または、（ｂ）前記予測領域におけるそれぞれの予測サンプルをスケーリングすることに基づいて得られる、再構成された残差領域を生成することと、
前記再構成された残差領域に基づいて、量子化された残差領域を生成することと、
量子化された前記残差領域に基づいて、量子化解除された残差領域を生成することと、
前記量子化解除された残差領域、前記予測領域、前記順方向再構成関数、及び前記逆方向再構成関数に基づいて、復元されたピクセル領域を生成することと、
前記復元されたピクセル領域に基づいて、前記基準フレームバッファに記憶される基準ピクセル領域を生成することと、
を含む、プロセッサを用いて画像を符号化する方法。
【請求項２】
前記順方向再構成関数及び／又は前記逆方向再構成関数を特徴付けるリシェーパシグナリングビットストリームを生成することと、
前記リシェーパビットストリームを、前記入力画像に基づいて生成される符号化ビットストリームと多重化して、出力ビットストリームを生成することと、
を更に含む、請求項１に記載の方法。
【請求項３】
前記量子化された残差領域を生成することは、
前記再構成された残差領域に順方向符号化変換を適用して、変換されたデータを生成することと、
前記変換されたデータに順方向符号化量子化器を適用して、量子化されたデータを生成することと、
を含む、請求項１に記載の方法。
【請求項４】
前記量子化解除された残差領域を生成することは、
前記量子化されたデータに逆符号化量子化器を適用して、逆量子化されたデータを生成することと、
前記逆量子化されたデータに逆符号化変換を適用して、前記量子化解除された残差領域を生成することと、
を含む、請求項３に記載の方法。
【請求項５】
前記基準フレームバッファに記憶される前記基準ピクセル領域を生成することは、前記復元されたピクセル領域にループフィルターを適用することを含む、請求項１に記載の方法。
【請求項６】
前記再構成された残差領域を生成することは、
Res_r(i) = Fwd(Orig_sample(i)) - Fwd(Pred_sample(i))
を計算することを含み、
ここで、Fwd()は、前記順方向再構成関数を表し、Res_r(i)は、前記再構成された残差領域のピクセルを表し、Orig_sample(i)は、前記入力画像領域のピクセルを表し、Pred_sample(i)は、前記予測領域のピクセルを表す、請求項１に記載の方法。
【請求項７】
前記復元されたピクセル領域を生成することは、
Reco_sample (i) = Inv(Res_d(i) + Fwd(Pred_sample(i)))
を計算することを含み、
ここで、Inv()は、前記逆方向再構成関数を表し、Recon_sample(i)は、前記復元されたピクセル領域のピクセルを表し、Res_d(i)は、前記Res_r(i)ピクセルの密接近似値を表す前記量子化解除された残差領域のピクセルを表す、請求項６に記載の方法。
【請求項８】
前記再構成された残差領域を生成することは、
Res_r(i) = a(Pred_sample(i))*(Orig_sample(i) - Pred_sample(i))
を計算することを含み、
ここで、a(Pred_sample(i))は、Pred_sample(i)の値に基づくスケーリングファクターを表す、請求項６に記載の方法。
【請求項９】
前記復元されたピクセル領域を生成することは、
Reco_sample (i) = Pred_sample(i) + (1/a(Pred_sample(i)))*Res_d(i)
を計算することを含む、請求項８に記載の方法。
【請求項１０】
プロセッサを用いて、符号化ビットストリームを復号し、第１の符号語表現の出力画像を生成する方法であって、
前記第１の符号語表現よりも効率的な圧縮を可能にする第２の符号語表現で部分的に符号化された符号化画像を受信することと、
前記符号化画像の再構成情報を受信することと、
前記第１の符号語表現から前記第２の符号語表現にピクセルをマッピングする順方向再構成関数を前記再構成情報に基づいて生成することと、
前記第２の符号語表現から前記第１の符号語表現にピクセルをマッピングする逆方向再構成関数を前記再構成情報に基づいて生成することと、
前記符号化画像の領域について、
復号された再構成残差領域を生成することと、
基準ピクセルバッファ又は事前に復号された近傍空間内のピクセルに基づいて、予測領域を生成することと、
前記復号された再構成残差領域、前記予測領域、前記順方向再構成関数、及び前記逆方向再構成関数に基づいて、復元されたピクセル領域を生成することであって、前記復元されたピクセル領域における復元されたサンプルは、少なくとも部分的に、前記予測領域におけるそれぞれの予測サンプルに順方向再構成を行うことに基づいて得られる、復元されたピクセル領域を生成することと、
前記復元されたピクセル領域に基づいて、前記出力画像の出力ピクセル領域を生成することと、
前記出力ピクセル領域を前記基準ピクセルバッファに記憶することと、
を含む、方法。
【請求項１１】
前記復元されたピクセル領域を生成することは、
Reco_sample (i) = Inv(Res_d(i) + Fwd(Pred_sample(i)))
を計算することを含み、
ここで、Reco_sample(i)は、前記復元されたピクセル領域のピクセルを表し、Res_d(i)は、前記復号された再構成残差領域のピクセルを表し、Inv()は、前記逆方向再構成関数を表し、Fwd()は、前記順方向再構成関数を表し、Pred_sample(i)は、前記予測領域のピクセルを表す、請求項１０に記載の方法。
【請求項１２】
順方向再構成関数及び逆方向再構成関数を生成する代わりに、前記方法は、
前記再構成情報に基づいて再構成スケーリング関数を生成することと、
前記符号化画像の前記領域について、
前記復号された再構成残差領域、前記予測領域、及び前記再構成スケーリング関数に基づいて、前記復元されたピクセル領域を生成することであって、前記復元されたピクセル領域における復元されたサンプルは、少なくとも部分的に、前記復号された再構成残差領域におけるそれぞれの復号された残差サンプルをスケーリングすることに基づいて得られる、復元されたピクセル領域を生成することと、
を含む、請求項１０に記載の方法。
【請求項１３】
前記復元されたピクセル領域を生成することは、
Reco_sample (i) = Pred_sample(i) + (1/a(Pred_sample(i))) * Res_d(i)
を計算することを含み、ここで、Reco_sample(i)は、復元されたピクセル領域のピクセルを表し、Res_d(i)は、前記復号された再構成残差領域のピクセルを表し、a()は、前記逆方向再構成スケーリング関数を表し、Pred_sample(i)は、前記予測領域のピクセルを表す、請求項１２に記載の方法。
【手続補正２】
【補正対象書類名】図面
【補正対象項目名】図３Ａ
【補正方法】変更
【補正の内容】
【図３Ａ】
2020526942.tif 000001
【手続補正３】
【補正対象書類名】図面
【補正対象項目名】図３Ｂ
【補正方法】変更
【補正の内容】
【図３Ｂ】
2020526942.tif 000002
【手続補正４】
【補正対象書類名】図面
【補正対象項目名】図３Ｃ
【補正方法】変更
【補正の内容】
【図３Ｃ】
2020526942.tif 000003
【手続補正５】
【補正対象書類名】図面
【補正対象項目名】図３Ｄ
【補正方法】変更
【補正の内容】
【図３Ｄ】
2020526942.tif 000004
【手続補正６】
【補正対象書類名】図面
【補正対象項目名】図３Ｅ
【補正方法】変更
【補正の内容】
【図３Ｅ】
2020526942.tif 000005
【手続補正７】
【補正対象書類名】図面
【補正対象項目名】図３Ｆ
【補正方法】変更
【補正の内容】
【図３Ｆ】
2020526942.tif 000006
【手続補正８】
【補正対象書類名】図面
【補正対象項目名】図４Ａ
【補正方法】変更
【補正の内容】
【図４Ａ】
2020526942.tif 000007
【手続補正９】
【補正対象書類名】図面
【補正対象項目名】図４Ｂ
【補正方法】変更
【補正の内容】
【図４Ｂ】
2020526942.tif 000008
【手続補正１０】
【補正対象書類名】図面
【補正対象項目名】図５Ａ
【補正方法】変更
【補正の内容】
【図５Ａ】
2020526942.tif 000009
【手続補正１１】
【補正対象書類名】図面
【補正対象項目名】図５Ｂ
【補正方法】変更
【補正の内容】
【図５Ｂ】
2020526942.tif 000010